(57)【要約】【課題】組立作業時間の増加やコストの増加を生じることなくスタンド部材の取り付けを行い、また、厚み方向の増加を抑え、スタンド部材を押圧するための弾性力の調整が容易な電子機器を提供することを目的とする。【解決手段】スタンド部材４００の回動部４２０を、回動軸方向の一方側において回動軸方向の他方側に向けてコイルバネ３３１により付勢し、後ケース３００と当接させることにより取り付けているので、スタンド部材の取り付けに際し、部品点数を削減でき、作業時間の短縮を図ることができ、電子機器の厚みの増加を抑えることができる。【選択図】図５
2013106201.tif 000002
【特許請求の範囲】
【請求項１】
表示部と、前記表示部を収容するケースと、前記ケースの背面側に回動可能に取り付けられたスタンド部材と、からなる電子機器であって、
前記スタンド部材の一辺には、前記ケースに対して回動する回動部が設けられており、
前記回動部が、回動軸方向の一方側において回動軸方向の他方側に向けて付勢され、前記ケースと当接することで、前記スタンド部材が前記ケースに取り付けられていることを特徴とする電子機器。
【請求項２】
前記スタンド部材と前記ケースには、前記回動部と前記ケースとの当接箇所に凹凸が形成されていることを特徴とする請求項１に記載の電子機器。
【請求項３】
前記回動部は、回動軸方向の一方側において、コイルバネによって回動軸方向の他方側に向けて付勢されていることを特徴とする請求項１または２に記載の電子機器。
【請求項４】
前記電子機器は、内部にバッテリを収容するバッテリ収容部が形成されており、
前記バッテリ収容部側に、前記コイルバネが配置されていることを特徴とする請求項３に記載の電子機器。
【発明の詳細な説明】
【技術分野】
【０００１】
本発明は、表示部を備えた電子機器に関するものであり、特に、背面側にスタンドが備わっており、このスタンドを取り出して、電子機器を立て掛けることによって視聴を行う電子機器に関するものである。
【背景技術】
【０００２】
近年、ナビゲーション装置は、ナビゲーション機能だけでなく、テレビジョン放送受信機能を備えたものが普及している。この種の電子機器は、車両に搭載されて用いられるだけでなく、卓上に載置して用いられる等、携帯用としても広く使用されている。そして、卓上に載置して使用する場合には、ナビゲーション装置の表示部を見やすくするために、ユーザはこのナビゲーション装置を傾けて、この状態をスタンド部材で支持することにより使用している。
【０００３】
このようなナビゲーション装置のようなスタンド付きの電子機器として、特許文献１に記載されているものが知られている。特許文献１に記載されている液晶テレビ用スタンドは、液晶テレビの背面側にスタンド部材を回動可能に取り付けておき、必要な時にスタンド部材を引き出すことで液晶テレビを支持している。
【０００４】
そして、この回動可能に取り付けられるスタンド部材は、スタンド部材を引き出すと、スタンド部材の先端と液晶テレビの背面側に設けた押圧部材（スライダ６）とが互いに押し合うことにより、液晶テレビの支持を行っている。
【先行技術文献】
【特許文献】
【０００５】
【特許文献１】特開２００６−１７３８４８号公報（段落００２９、００３３、等）
【発明の概要】
【発明が解決しようとする課題】
【０００６】
特許文献１におけるスタンド部材を押圧する押圧部材は、スライダ６と圧縮コイルバネ５という複数の部材で構成されているため、部品点数の増加による組立作業時間の増加、コストの増加、また設置スペースの増大という問題が生じてしまう。
【０００７】
また、電子機器においては、押圧部材として、背面のケースそのものを利用したものもよく知られている。具体的には、樹脂ケースの平面の一部をコ字状に切り欠いて、板状の樹脂の一部に（後方に向けて付勢する）弾性力を持たせる押圧部材の構造である。
【０００８】
しかしながら、このようなケースの一部を切り欠いた板状のバネのような構成は、弾性による移動スペースが必要となるので、電子機器の厚み方向が増大してしまうという問題がある。
【０００９】
特に、特許文献１のような液晶テレビであれば、厚みが多少増えたとしても大きな影響はないかもしれないが、携帯可能な小型の電子機器であれば多少の厚みの増加も大きな影響となる。
【００１０】
また、ケースの一部を切り欠いた構成による押圧部材は、成型品なので、スタンド部材を押圧するための弾性力の調整が難しく、一度金型を作ってしまうと、弾性力の調整も容易に行えない、という問題がある。
【００１１】
本願の発明者は、この問題を解消すべく種々検討を重ねた結果、表示部と、表示部を収容するケースと、ケースの背面に回動可能に取り付けられたスタンド部材と、からなる電子機器であって、スタンド部材の一辺には、ケースに対して回動する回動部を設けておき、この回動部を、回動軸方向の一方側において、回動軸方向の他方側に向けて付勢し、ケースに当接させることで、この問題を解決し得ることに想到し、本発明を完成するに至ったものである。
【００１２】
すなわち、本発明は上記問題を解決することを課題とし、組立作業時間の増加やコストの増加を生じることなくスタンド部材の取り付けを行い、また、厚み方向の増加を抑え、スタンド部材を押圧するための弾性力の調整が容易な電子機器を提供することを目的とするものである。
【課題を解決するための手段】
【００１３】
上記課題を解決するため、本発明の第１の態様によれば、表示部と、前記表示部を収容するケースと、前記ケースの背面側に回動可能に取り付けられたスタンド部材と、からなる電子機器であって、前記スタンド部材の一辺には、前記ケースに対して回動する回動部が設けられており、前記回動部が、回動軸方向の一方側において回動軸方向の他方側に向けて付勢され、前記ケースと当接することで、前記スタンド部材が前記ケースに取り付けられていることを特徴とする。
【００１４】
また、本発明の第２の態様によれば、第１の態様にかかる電子機器であって、前記スタンド部材と前記ケースには、前記回動部と前記ケースとの当接箇所に凹凸が形成されていることを特徴とする。
【００１５】
また、本発明の第３の態様によれば、第１または第２の態様にかかる電子機器であって、  前記回動部は、回動軸方向の一方側において、コイルバネによって回動軸方向の他方側に向けて付勢されていることを特徴とする。
【００１６】
また、本発明の第４の態様によれば、第３の態様にかかる電子機器であって、前記電子機器は、内部にバッテリを収容するバッテリ収容部が形成されており、前記バッテリ収容部側に、前記コイルバネが配置されていることを特徴とする。
【発明の効果】
【００１７】
本発明の第１の態様によれば、スタンド部材の回動部を、回動軸方向の一方側において回動軸方向の他方側に向けて付勢し、ケースと当接させることにより、スタンド部材をケースに回動可能に取り付けているので、スタンド部材の取り付けに際し、部品点数を削減でき、作業時間の短縮を図ることができる。また、回動軸方向に付勢することで、スタンド部材をケースに取り付けているので、電子機器の厚みの増加を抑えることができ、薄型化、小型化を図ることできる。
【００１８】
また、本発明の第２の態様によれば、スタンド部材とケースとが当接する箇所に凹凸が形成されているので、ユーザがスタンド部材を回動させると、ユーザに対してクリック感を付与することができる。
【００１９】
また、本発明の第３の態様によれば、スタンド部材は、コイルバネによって付勢されているので、弾性力の異なるコイルバネを用いることで、付勢力の調整を簡単に行うことができる。
【００２０】
また、本発明の第４の態様によれば、バッテリ収容部側にコイルバネを配置する構成なので、スタンド部材の回動軸方向の他方側は、取り付けスペースを用意に確保することができる。
【図面の簡単な説明】
【００２１】
【図１】本発明の実施形態におけるナビゲーション装置全体の正面図である。
【図２】本発明の実施形態におけるナビゲーション装置の背面側斜視図である。
【図３】本発明の実施形態におけるナビゲーション装置の後ケースの内面側斜視図である。
【図４】本発明の実施形態におけるナビゲーション装置の後ケースの内面側概略図である。
【図５】本発明の実施形態におけるナビゲーション装置の後ケースの背面側概略図である。
【図６】本発明の実施形態におけるナビゲーション装置の要部の拡大図である。
【発明を実施するための形態】
【００２２】
以下、本発明の具体例を実施例及び図面を用いて詳細に説明する。但し、以下に示す実施例は、本発明の技術的思想を具体化するための電子機器を例示するものであって、本発明をこの電子機器に特定することを意図するものではなく、本発明の技術的範囲は、特許請求の範囲の記載によって定められるものである。
【実施例】
【００２３】
図１は、本発明の一実施例に係るスタンド付きのナビゲーション装置１を卓上に載置した状態を示す正面図であり、図２は図１におけるスタンド付きナビゲーション装置１を背面側の斜め上から見た斜視図である。
【００２４】
本実施例に係るナビゲーション装置１は、図１、図２に示すように、矩形の形状をしている。そして、ナビゲーション装置１は、表示部１００を前ケース２００と後ケース３００からなる収容ケースで収容している。また、後ケース３００の背面側にはスタンド部材４００が取り付けられている。
【００２５】
表示部１００は、液晶表示パネル１０１や、この液晶表示パネル１０１の裏側に配置され、液晶表示パネル１０１に様々な表示を行うための制御基板（図示せず）等で構成されている。また、液晶表示パネル１０１の表側には、入力手段を構成するタッチパネル（図示せず）が取り付けられており、ユーザはタッチパネルを介してナビゲーション装置１の操作を行うことになる。この表示部１００によって、ナビゲーション装置１のナビゲーション機能における経路案内表示等が行われ、また、ナビゲーション装置１のテレビジョン放送受信機能におけるテレビ画像表示が行われる。
【００２６】
表示部１００を収容するケースを構成している前ケース２００は、樹脂製の額縁状の枠体で構成されている。そして、この前ケース２００が表示部１００の前面側を覆うことで、額縁の内側から液晶表示パネル１０１を露出させる。この前ケース２００の額縁部分には、一部に開口が設けられ、この開口から機械式のボタン２０１を露出させて配置している。
【００２７】
前ケース２００とともに表示部１００を収容するケースを構成している後ケース３００は、樹脂製の箱体で構成され、この後ケース３００で表示部１００の後面側を覆うことで、表示部１００の保護等を行う。なお、後ケース３００の構造については、詳細を後述する。
【００２８】
スタンド部材４００は、樹脂製の板状の部材で構成され、後ケース３００の背面側３２０に取り付けられている。そして、このスタンド部材４００は、後ケース３００の背面内に収納された状態と、後ケース３００から回動して引き出された状態（図２の状態）と、を取るように、図２のＡ−Ａ方向である回動方向へ回動可能になっている。ユーザがナビゲーション装置１を卓上５００に載置して使用する場合には、図２のように、スタンド部材４００を後ケース３００から引き出して、スタンド部材４００でナビゲーション装置１を支持することにより、ナビゲーション装置１は使用される。
【００２９】
次に、図３を用いて後ケース３００の内面側３１０の構造について説明する。後ケース３００の内面側３１０には、スタンド部材４００を取付け、収納しておくスタンド取付部３３０が設けられている。なお、このスタンド取付部３３０については、詳細を後述する。
【００３０】
また、後ケース３００の内面側３１０には、収容される表示部１００を固定するための、表示固定部３４０が複数設けられている。この表示固定部３４０によって、表示部１００を構成する液晶表示パネル１０１や制御基板等がネジ等によって後ケース３００の内面側３１０に固定される。
【００３１】
また、後ケース３００の内面側３１０には、円形のスピーカ（図示せず）を固定するスピーカ固定部３５０が設けられている。このスピーカ固定部３５０に固定されるスピーカによって、ナビゲーション装置１における経路案内の音声や、受信したテレビやラジオなどの音声等が出力される。
【００３２】
また、後ケース３００の内面側３１０には、アンテナ収容部３６０が設けられている。このアンテナ収容部３６０には、例えばワンセグ用のロッドアンテナ（図示せず）が収容されており、ナビゲーション装置１においてワンセグの視聴を行う際にこのロッドアンテナがアンテナ収容部３６０から引き出される。
【００３３】
また、後ケース３００の内面側３１０には、電源端子の挿入部３７０が設けられている。この挿入部３７０を介して、ＡＣアダプターの端子や、車内のシガーライターソケットに挿入されたシガーライターコードの端子が電源回路へと接続される。
【００３４】
また、後ケース３００の内面側３１０には、バッテリ収容部３８０が設けられている。このバッテリ収容部３８０は矩形状の収容領域を備え、この収容領域にリチウムイオンバッテリ等の各種バッテリ（図示せず）が後ケース３００の背面側３２０から挿入される。そして、図示していないバッテリカバーによって、このバッテリが覆われことになる。このバッテリ収容部３８０に収容されるバッテリにより、ナビゲーション装置１はＡＣアダプター等からの外部電源の供給がなくても使用すること可能になる。
【００３５】
次に、図４〜６を用いて後ケース３００とスタンド部材４００との関係について詳細を説明する。図４は図３に示した後ケース３００の内面側３１０の概略図である。また、図５は後ケース３００の背面側３２０の概略図である。
【００３６】
スタンド部材４００は、後ケース３００の背面側３２０において、スタンド取付部３３０に収容され、回動可能に固定される。スタンド取付部３３０は、後ケース３００の背面側３２０の一部が内側３１０へ凹むことにより形成されている。そしてこの凹んだ領域に、スタンド部材４００が収容された状態では、スタンド部材４００と後ケース３００の背面側３２０とが面一の状態となる。
【００３７】
このスタンド部材４００は、樹脂の成型品であり、スタンド本体４１０と、回動部４２０で構成されている。スタンド本体４１０は、板状をしており、ユーザによってスタンド取付部３３０から引き出されることで、ナビゲーション装置１を図２に示すように卓上５００で支持する。
【００３８】
また、スタンド本体４１０は、ユーザが引き出し動作を行いやすくするため、卓上５００と接する支持辺４１１の一部が切り欠かれている。そして、支持辺４１１の反対側であるスタンド本体４１０の回動辺４１２には、回動部４２０が設けられている。
【００３９】
この回動部４２０は、回動辺４１２の一端にバネ受け部４３０を備え、回動辺４１２の他端に軸受孔４４０を備えている。
【００４０】
バネ受け部４３０は、筒状になっている。そして、バネ受け部４３０は、回動軸方向（Ｂ−Ｂ方向）において伸縮するコイルバネ３３１の一部を筒状の内部に収納している（図４ではバネ受け部４３０に収納されているバネ３３１を図示せず）。そしてコイルバネ３３１は、スタンド取付部３３０の側壁３３０ａを基準に回動軸方向にバネ受け部４３０を付勢する。スタンド部材４００は、バネ受け部４３０側で、このコイルバネ３３１の弾性力によって、回動軸方向の他方側（軸受孔４４０側）へ向けて付勢されることになる。
【００４１】
一方、軸受孔４４０側には、Ｂ−Ｂ方向に伸びる金属製の軸材３３２が挿入されている。この軸材３３２は、後ケース３００の背面側３２０から内面側３１０へと繋がっている。そして、この軸材３３２を回動軸として、スタンド部材４００は回動可能に後ケース３００に取り付けられることになる。
【００４２】
そして、コイルバネ３３１の弾性力によりスタンド部材４００が回動軸方向に沿って付勢されることで、スタンド部材４００のスタンド当接部４４１と、後ケース３００のケース当接部３３３とが当接状態となる。この時、スタンド当接部４４１とケース当接部３３３には、スタンド部材４００の引き出し動作の際、ユーザにクリック感を与えるために、凹部と凸部が形成されている。なお、図６（ａ）には、図５におけるスタンド当接部４４１周辺の領域■ａの拡大図を示しており、図６（ｂ）には、図５におけるケース当接部３
３３周辺の領域■ｂの拡大図を示している。
【００４３】
本実施例においては、スタンド当接部４４１に二つの凹部４４２ａ、４４２ｂが形成されており、ケース当接部３３３に凸部３３４が形成されている。スタンド部材４００が収容されている時は、凹部４４２ａと凸部３３４が係合し、スタンド部材４００が引き出されている時は、凹部４４２ｂと凸部３３４が係合する。この凹部４４２と凸部３３４が係合する際に、ユーザにクリック感が与えられる。
【００４４】
次に、スタンド部材４００を後面ケース３００の背面側３２０へ取り付ける作業手順について説明を行う。まず、コイルバネ３３１をバネ受け部４３０の筒状内部に挿入する。次に、スタンド部材４００を後ケース３００の背面側３２０から、スタンド取付部３３０へ収容する。この時、コイルバネ３３１は伸びて後ケース３００の側壁３３０ａと当接し、スタンド部材４００をケース当接部３３３側へ付勢することになる。最後に、軸３３２を後ケース３００の内面側３１０から、軸受孔４４０へ挿入することにより、後ケース３００の背面側３２０へのスタンド部材４００の取り付けが完了する。
【００４５】
この時、本実施例においては、コイルバネ３３１をバッテリ収容部３８０側へ配置するように構成している。したがって、スタンド取付部３３０とバッテリ収容部３８０とを近づけたとしても、軸３３２の取り付け作業はバッテリ収容部３８０とは反対側で行うことになるので、回動軸方向での取り付け作業の空間を広く確保することができる。このような構成は、ナビゲーション装置１のように、バッテリを備える携帯型の電子機器において、ケース内部におけるスペースの効率利用とともに、組立作業性の向上を図ることができる。
【００４６】
以上のように、本実施例においてナビゲーション装置１は、スタンド部材４００の後ケースの背面側３２０へ取り付けを、押圧部材であるコイルバネ３３１を用い、回動軸方向の一方側（バネ受け部４３０側）にこのコイルバネ３３１を配置し、コイルバネ３３１の弾性力で、回動軸方向の他方側（軸受穴４４０側）に向けてスタンド部材４００を付勢する構成により行っている。
【００４７】
したがって、ナビゲーション装置１においては、金型を変更することなく、コイルバネ３３１を変えることによって、スタンド部材４００の取り付における弾性力の調整を容易に行うことができる。そして、スタンド部材４００の取り付けを、コイルバネ３３１による付勢と、スタンド部材４００と後ケース３００との当接で行っているので、部品点数を削減でき組立作業性の向上や省スペース化を図ることができる。
【００４８】
また、例えば従来の押圧部材として、後ケース３００のスタンド取付部３３０に、コ字状に切り欠くことにより形成した板状のバネ部材を用いると、この押圧部材が内面側３１０へ移動できるスペースを確保しておく必要がある。しかしながら、本実施例におけるナビゲーション装置１では、回動軸方向に沿ってコイルバネ３３１で付勢しているだけなので、ナビゲーション装置１の厚み方向への増加を抑えることができる。また、コ字状のバネ部材とスタンド部材との係合構造も不要になるので、後ケース３００の省スペース化を図ることもできる。
【００４９】
また、後ケース３００に押圧部材としての切り欠きを設けておくと、後ケース３００の内面側３１０と背面側３２０とが切り欠きにより連通してしまう。この時、本実施例のようにスタンド取付部３００の近くにスピーカ固定部３５０が設けられている構成だと、この切り欠きによる外部へ通じる開口から、空気が漏れてしまい、スピーカの音圧低下の原因となるが、ナビゲーション装置１では押圧部材としての切り欠きを設ける必要がないので、音圧低下も生じない。
【００５０】
なお、本実施例においては、回動軸方向に沿ってスタンド部材４００を付勢する弾性部材としてコイルバネ３３１を示したが、ゴム材等コイルバネ３３１以外のものを用いても構わない。
【００５１】
また、表示部１００を収容するケースとして、別体の前ケース２００と後ケース３００とで構成されたものについて説明したが、前ケースと後ケースが最初から一体となっているケースを用いても構わない。
【００５２】
また、スタンド付きの電子機器としてナビゲーション装置１について説明したが、表示部を備えた電子機器であれば携帯型のテレビやデジタルフォトフレーム等他の電子機器にも、本発明は適用可能である。
【符号の説明】
【００５３】
１・・・ナビゲーション装置
３００・・・後ケース
３１０・・・内面側
３２０・・・平面側
３３１・・・コイルバネ
３３２・・・軸材
４００・・・スタンド部材
４１０・・・スタンド本体
４１１・・・支持辺
４１２・・・回動辺
４２０・・・回動部
４３０・・・バネ受け部
４４０・・・軸受孔
【図１】
2013106201.tif 000003
【図２】
2013106201.tif 000004
【図３】
2013106201.tif 000005
【図４】
2013106201.tif 000006
【図５】
2013106201.tif 000007
【図６】
2013106201.tif 000008